(57)【要約】【課題】パソコンが作成したカラー画像に対応するモノクロ画像と、医療画像撮影装置で撮影した医療画像に対応するモノクロ画像とを、１画面に混在させて表示する。【解決手段】モノクロ画像表示パネル（４８）の画面上の第１領域（４８ａ）では、モノクロ画像データ（Ａ）における画像アスペクト比を反映した画素値変換を行った第１変換モノクロ画像データ（Ｍ）に基づいて第１モノクロ画像を表示し、第２領域（４８ｂ）では、カラー画像データ（Ｂ）におけるカラーを反映した画素値変換を行った第２変換モノクロ画像データ（Ｃ）に基づいて第２モノクロ画像を表示する。【効果】モノクロ画像データとカラー画像データとが混在して１つの画面を構成するような場合にも、両画像データに対応するモノクロ画像を適正に表示できる。【選択図】図８
2013257417.tif 000002
【特許請求の範囲】
【請求項１】
１つのピクセル（Ｕ）が３つのサブピクセル（ｕ）から構成されたモノクロ画像表示パネル（４８）と、
１つの画素に１つのモノクロ画素値が割り当てられたモノクロ画像データ（Ａ）に対応する第１モノクロ画像を表示すべき第１領域（４８ａ）と１つの画素にＲ画素値，Ｇ画素値，Ｂ画素値が割り当てられたカラー画像データ（Ｂ）に対応する第２モノクロ画像を表示すべき第２領域（４８ｂ）とに前記モノクロ画像表示パネル（４８）の画面を領域分けする領域分け手段（４４）と、
前記モノクロ画像データ（Ａ）における画像アスペクト比を反映して前記第１モノクロ画像を表示するために前記モノクロ画像データ（Ａ）のモノクロ画素値から前記サブピクセル（ｕ）に割り当てるモノクロ画素値を得るアスペクト比変換処理によって第１変換モノクロ画像データ（Ｍ）を得る第１変換演算手段（４４）と、
前記カラー画像データ（Ｂ）におけるカラーを反映して前記第２モノクロ画像を表示するために前記カラー画像データ（Ｂ）のＲ画素値，Ｇ画素値，Ｂ画素値から前記サブピクセル（ｕ）に割り当てるモノクロ画素値を得るカラーモノクロ変換処理によって第２変換モノクロ画像データ（Ｃ）を得る第２変換演算手段（４４）と、
前記第１領域（４８ａ）では前記第１変換モノクロ画像データ（Ｍ）に基づいて前記第１モノクロ画像を表示すると共に前記第２領域（４８ｂ）では前記第２変換モノクロ画像データ（Ｃ）に基づいて前記第２モノクロ画像を表示するように前記サブピクセル（ｕ）を独立に駆動するモノクロ画像表示パネル駆動手段（４７）と
を具備したことを特徴とするモノクロ画像表示装置（４）。
【請求項２】
請求項１に記載のモノクロ画像表示装置（４）において、
前記領域分け手段（４４）は、前記第１領域（４８ａ）中の除外領域（４８ｃ）以外の画素のＲ画素値，Ｇ画素値，Ｂ画素値を特定カラー画素値とし、
前記モノクロ画像表示パネル駆動手段（４７）は、前記第１領域（４８ａ）中の前記特定カラー画素値の画素では前記第１変換モノクロ画像データ（Ｍ）に基づいて前記第１モノクロ画像を表示すると共に、前記第１領域（４８ａ）中の前記特定カラー画素値の画素以外の画素および前記第２領域（４８ｂ）では前記第２変換モノクロ画像データ（Ｃ）に基づいて前記第２モノクロ画像を表示する
ことを特徴とするモノクロ画像表示装置（４）。
【請求項３】
請求項１または請求項２に記載のモノクロ画像表示装置（４）において、前記第１変換演算手段（４４）は、前記モノクロ画像データ（Ａ）に対応する画像全体が前記第１領域に入るように前記アスペクト比変換処理を施すことを特徴とするモノクロ画像表示装置（４）。
【発明の詳細な説明】
【技術分野】
【０００１】
本発明は、モノクロ画像表示装置に関し、さらに詳しくは、モノクロ画像データとカラー画像データとが混在して１つの画面を構成するような場合にも両画像データに対応するモノクロ画像を適正に表示できるモノクロ画像表示装置に関する。
【背景技術】
【０００２】
従来、解像度を向上させるためにモノクロ画像表示パネルの１つのピクセルを構成する３つのサブピクセルをそれぞれ独立に駆動してモノクロ画像を表示する際に、サブピクセル形状の異方性による画像アスペクト比の変化を補償するように元のモノクロ画像データにアスペクト比変換処理を施して新たなモノクロ画像データを得て、その新たなモノクロ画像データを基にサブピクセルをそれぞれ独立に駆動してモノクロ画像を表示する画像表示装置が知られている（例えば特許文献１参照。）。
他方、カラー画像データが入力された場合は、元のカラーが輝度に反映されるようにカラー画像データにカラーモノクロ変換処理を施し、得られたモノクロ画像データを基にモノクロ画像表示パネルのサブピクセルをそれぞれ駆動すると共に、モノクロ画像データが入力された場合は、１つのモノクロ画素のモノクロ画素値でモノクロ画像表示パネルの１つのピクセルを構成する３つサブピクセルをそれぞれ駆動し、モノクロ画像を表示するモノクロ・フラットパネル・ディスプレイ装置が知られている（例えば特許文献２参照。）。
【先行技術文献】
【特許文献】
【０００３】
【特許文献１】特許第４７７３５２２号公報
【特許文献２】特開２００３−２２８３３７号公報
【発明の概要】
【発明が解決しようとする課題】
【０００４】
上記特許文献１に係る画像表示装置では、医療画像撮影装置で取得したモノクロ医療画像データにパソコンでアスペクト比変換処理を施して新たなモノクロ画像データを作成し、そのモノクロ画像データをパソコンからモノクロ液晶表示装置に入力している。
しかし、カラー画像データとモノクロ画像データとが混在して１つの画面を構成するような場合に対応できない問題点があった。すなわち、カラー画像データのＲ画素値，Ｇ画素値，Ｂ画素値がそのままサブピクセルに割り当てられてしまうため、カラー画像データの部分において、元のカラーを適正に表現できていない輝度になってしまう問題点があった。
【０００５】
他方、上記特許文献２に係るモノクロ・フラットパネル・ディスプレイ装置では、カラー画像データまたはモノクロ画像データのいずれが入力されるか判っている場合には、スイッチを切り換えることで、カラー画像データのカラーが適正に反映されたモノクロ画像を表示したり、元のモノクロ画像データに適正に対応したモノクロ画像を表示することができた。  しかし、カラー画像データとモノクロ画像データとが混在して１つの画面を構成するような場合に対応できない問題点があった。すなわち、スイッチをカラー画像データ用に切り替えると、モノクロ画像データの部分にもカラーモノクロ変換処理が入るために、モノクロ画像データの部分において、元のモノクロ画素の輝度と異なる輝度になってしまい、また、スイッチをモノクロ画像データ用に切り替えると、カラー画像データの部分にカラーモノクロ変換処理が入らないために、カラー画像データの部分において、元のカラーを適正に表現できていない輝度になってしまう問題点があった。
【０００６】
そこで、本発明の目的は、モノクロ画像データとカラー画像データとが混在して１つの画面を構成するような場合にも両画像データに対応するモノクロ画像を適正に表示可能なモノクロ画像表示装置を提供することにある。
【課題を解決するための手段】
【０００７】
第１の観点では、本発明は、１つのピクセル（Ｕ）が３つのサブピクセル（ｕ）から構成されたモノクロ画像表示パネル（４８）と、１つの画素に１つのモノクロ画素値が割り当てられたモノクロ画像データ（Ａ）に対応する第１モノクロ画像を表示すべき第１領域（４８ａ）と１つの画素にＲ画素値，Ｇ画素値，Ｂ画素値が割り当てられたカラー画像データ（Ｂ）に対応する第２モノクロ画像を表示すべき第２領域（４８ｂ）とに前記モノクロ画像表示パネル（４８）の画面を領域分けする領域分け手段（４４）と、前記モノクロ画像データ（Ａ）における画像アスペクト比を反映して前記第１モノクロ画像を表示するために前記モノクロ画像データ（Ａ）のモノクロ画素値から前記サブピクセル（ｕ）に割り当てるモノクロ画素値を得るアスペクト比変換処理によって第１変換モノクロ画像データ（Ｍ）を得る第１変換演算手段（４４）と、前記カラー画像データ（Ｂ）におけるカラーを反映して前記第２モノクロ画像を表示するために前記カラー画像データ（Ｂ）のＲ画素値，Ｇ画素値，Ｂ画素値から前記サブピクセル（ｕ）に割り当てるモノクロ画素値を得るカラーモノクロ変換処理によって第２変換モノクロ画像データ（Ｃ）を得る第２変換演算手段（４４）と、前記第１領域（４８ａ）では前記第１変換モノクロ画像データ（Ｍ）に基づいて前記第１モノクロ画像を表示すると共に前記第２領域（４８ｂ）では前記第２変換モノクロ画像データ（Ｃ）に基づいて前記第２モノクロ画像を表示するように前記サブピクセル（ｕ）を独立に駆動するモノクロ画像表示パネル駆動手段（４７）とを具備したことを特徴とするモノクロ画像表示装置（４）を提供する。
上記第１の観点によるモノクロ画像表示装置（４）では、モノクロ画像表示パネル（４８）の画面上の第１領域（４８ａ）では、第１変換モノクロ画像データ（Ｍ）に基づいて第１モノクロ画像を表示するので、モノクロ画像データ（Ａ）における画像アスペクト比を反映した第１モノクロ画像を表示できる。他方、第２領域（４８ｂ）では、第２変換モノクロ画像データ（Ｃ）に基づいて第２モノクロ画像を表示するので、カラー画像データ（Ｂ）におけるカラーを反映した第２モノクロ画像を表示できる。すなわち、モノクロ画像データとカラー画像データとが混在して１つの画面を構成するような場合にも両画像データに対応するモノクロ画像を適正に表示できる。
【０００８】
第２の観点では、本発明は、前記第１の観点によるモノクロ画像表示装置（４）において、前記領域分け手段（４４）は、前記第１領域（４８ａ）中の除外領域（４８ｃ）以外の画素のＲ画素値，Ｇ画素値，Ｂ画素値を特定カラー画素値とし、前記モノクロ画像表示パネル駆動手段（４７）は、前記第１領域（４８ａ）中の前記特定カラー画素値の画素では前記第１変換モノクロ画像データ（Ｍ）に基づいて前記第１モノクロ画像を表示すると共に、前記第１領域（４８ａ）中の前記特定カラー画素値の画素以外の画素および前記第２領域（４８ｂ）では前記第２変換モノクロ画像データ（Ｃ）に基づいて前記第２モノクロ画像を表示することを特徴とするモノクロ画像表示装置（４）を提供する。
上記第２の観点によるモノクロ画像表示装置（４）では、第１領域（４８ａ）中の除外領域（４８ｃ）に第２変換モノクロ画像データ（Ｃ）の該当部分を表示することが出来るので、例えば第１変換モノクロ画像データ（Ｍ）に関するメッセージを除外領域（４８ｃ）に表示させることが出来る。また、特定カラー画素値をマウスカーソルのカラー画素値とは異なるカラー画素値にしておけば、第１領域（４８ａ）中にマウスカーソルが入ってきたときに第１変換モノクロ画像データ（Ｍ）に消されずに第１領域（４８ａ）中にマウスカーソルを表示することが出来る。
【０００９】
第３の観点では、本発明は、前記第１または第２の観点によるモノクロ画像表示装置（４）において、前記第１変換演算手段（４４）は、前記モノクロ画像データ（Ａ）に対応する画像全体が前記第１領域に入るように前記アスペクト比変換処理を施すことを特徴とするモノクロ画像表示装置（４）を提供する。
上記第３の観点によるモノクロ画像表示装置（４）では、例えば医療画像撮影装置において作成された画素数の多いモノクロ医療画像データに対応する画像全体を、画素数の少ない第１領域（４８ａ）に表示することが出来る。
【発明の効果】
【００１０】
本発明のモノクロ画像表示装置によれば、モノクロ画像データとカラー画像データとが混在して１つの画面を構成するような場合にも両画像データに対応するモノクロ画像を適正に表示できる。
【図面の簡単な説明】
【００１１】
【図１】実施例１に係るモノクロ画像表示装置で医療画像を表示していない状態を示す説明図である。
【図２】実施例１に係るモノクロ画像表示装置の構成を示すブロック図である。
【図３】モノクロ液晶パネルを示す部分拡大図である。
【図４】パソコンによる医療画像ビューワ処理を示すフロー図である。
【図５】医療画像ビューワ処理が作成したカラー画像データを示す概念図である。
【図６】パソコンが出力するカラー画像データを示す概念図である。
【図７】実施例１に係るモノクロ画像表示装置による画像処理を示すフロー図である。
【図８】実施例１に係るモノクロ画像表示装置で医療画像を表示している状態を示す説明図である。
【発明を実施するための形態】
【００１２】
以下、図に示す実施の形態により本発明をさらに詳細に説明する。なお、これにより本発明が限定されるものではない。
【実施例】
【００１３】
−実施例１−
図１において、医療画像撮影装置Ｆは、ｍ行ｎ列の画素からなるＦＰＤ（Flat Panel Detector）を用いて例えば乳ガン診断用の画像を撮影し、その画像のデータである精密モノクロ医療画像データＡを医療画像データサーバＤに記憶する。なお、説明の都合上、ｍ≦ｎとする。例えばｍ＝３３２８、ｎ＝４０９６である。
【００１４】
パソコン３は、通常のディスプレイ装置に入力すればカラーのパソコン画面を表示しうるカラー画像データＢを作成し、所定周期でＤＶＩケーブルやＨＤＭＩケーブルのような映像信号線３２を介してモノクロ画像表示装置４に送っている。モノクロ画像表示装置４のモノクロ液晶パネル４８がＶ行Ｈ列のピクセルからなる場合、カラー画像データＢもＶ行Ｈ列の画素数になっている。但し、１つのピクセルに対してＲ画素値，Ｇ画素値，Ｂ画素値の３つの画素値がある。なお、説明の都合上、Ｖ≦Ｈとする。例えばＶ＝１２００、Ｈ＝１６００である。
【００１５】
パソコン３で実行される医療画像ビューワプログラム３１は、適当なタイミングで医療画像データサーバＤから精密モノクロ医療画像データＡを読み込み、ＵＳＢケーブルやＩＥＥＥ１３９４ケーブルのような通信信号線３３を介してモノクロ画像表示装置４へ転送する。
【００１６】
図２は、モノクロ画像表示装置４を示すブロック図である。
モノクロ画像表示装置４は、ＤＶＩインターフェースやＨＤＭＩインターフェースのような映像信号線インターフェース４２と、ＵＳＢインターフェースやＩＥＥＥ１３９４インターフェースのような通信信号線インターフェース４３と、ＦＰＧＡ（Field-Programmable Gate Array）やＡＳＩＣ（Application Specific Integrated Circuits）で構成されたビデオプロセッサ４４と、プログラムやデータを記憶するメモリ４５と、表示用データを記憶するビデオメモリ４６と、ビデオメモリ４６に記憶された表示用データに基づいてモノクロ液晶パネル４８のサブピクセルを独立駆動するモノクロ液晶パネル駆動回路４７と、モノクロ液晶パネル４８とを具備している。
【００１７】
図３に示すように、モノクロ液晶パネル４８の１つのピクセルＵは、行方向に並ぶ３つのサブピクセルｕ１，ｕ２，ｕ３から構成されている。１つのピクセルＵは正方形であり、サブピクセルｕ１，ｕ２，ｕ３の形状は行方向の長さが列方向の長さの１／３の長方形である。
【００１８】
図１に戻り、モノクロ画像表示装置４では、ビデオプロセッサ４４が、カラー画像データＢに対してカラーモノクロ変換処理を施し、第２変換モノクロ画像データＣを作成し、それを表示用データとしてビデオメモリ４６に記憶する。この第２変換モノクロ画像データＣでは、モノクロ液晶パネル４８の１つのピクセルを構成する３つのサブピクセルに対応するモノクロ画素値があるため、行方向の画素数が３＊Ｈになっている。
カラーモノクロ変換処理としては、例えば特許文献２で開示されている処理を用いることが出来る。あるいは、３つのサブピクセルのモノクロ画素値Ｄ１，Ｄ２，Ｄ３を、Ｄ１＝Ｄ２＝Ｄ３＝０．３＊Ｒ＋０．６＊Ｇ＋０．１＊Ｂとするカラーモノクロ変換処理など、他のカラーモノクロ変換処理を用いてもよい。
【００１９】
この結果、モノクロ液晶パネル４８には、カラー画像データＢに対応するモノクロ画像が表示される。
【００２０】
医療画像撮影装置Ｆで撮影した医用画像を見たい場合は、パソコン３で医用画像ビュワープログラム３１が実行される。
【００２１】
図４は、医用画像ビュワープログラム３１による医用画像ビュワー処理を示すフロー図である。
ステップＰ０，Ｐ１は、適当なタイミングで繰り返し実行される。
ステップＰ０では、医療画像データサーバＤから精密モノクロ医療画像データＡを読み込む。
ステップＰ１では、精密モノクロ医療画像データＡとそのＩＤをモノクロ画像表示装置４へ通信信号線３３を介して転送する。そして、ステップＰ０に戻る。
【００２２】
ステップＰ１１〜Ｐ１４は、ステップＰ０，Ｐ１とは別のタイミングで繰り返し実行される。
ステップＰ１１では、操作者による医療画像表示の指示を待つ。指示があればステップＰ１２へ進む。なお、前述のように、モノクロ画像表示装置４には、カラー画像データＢが所定周期で送り続けられている。
ステップＰ１２では、操作者が指定した医療画像のＩＤ（識別子）をモノクロ画像表示装置４へ通信信号線３３を介して通知する。
【００２３】
ステップＰ１３では、モノクロ画像表示装置４に送るカラー画像データＢの医療画像を表示する領域（以下、第１領域という）の開始座標とサイズとを数値指定する。
図８に、第１領域４８ａを例示する。開始座標は、例えば第１領域４８ａの左上角の座標である。サイズは、ｑ×Ｐである。ｑ≦Ｖ且つＰ＜Ｈであるか、又は、ｑ＜Ｖ且つＰ≦Ｈであるものとする。例えばｑ＝１１０９、Ｐ＝１３６５である。
【００２４】
ステップＰ１４では、第１領域４８ａのＲ画素値，Ｇ画素値，Ｂ画素値を特定カラー画素値に変更する。但し、第１領域４８ａ中に除外領域があれば、除外領域のカラー画素値は元のままとする。特定カラー画素値は、医療画像上に表示したい図形・文字のカラー画素値およびマウスカーソル（ポインタ）のカラー画素値以外のカラー画素値とする。
図５にステップＰ１４で作成されたカラー画像データを例示する。４８ｃが除外領域である。
図６に示すように、パソコン３のオペレーティングシステムは、ステップＰ１４で作成されたカラー画像データにマウスカーソルＺを付加したカラー画像データＢを作成し、映像信号線３２から出力する。
【００２５】
ステップＰ１５では、操作者による医療画像表示終了の指示がなければ、ステップＰ１３に戻り、図６に示すようなカラー画像データＢをモノクロ画像表示装置４に送り続ける。一方、終了の指示があれば、ステップＰ１６へ進む。
【００２６】
ステップＰ１６では、モノクロ画像表示装置４に医療画像表示の終了を通知する。そして、ステップＰ１１に戻る。ステップＰ１１に戻れば、図１に示すような通常のカラー画像データＢがモノクロ画像表示装置４に送られる状態に戻ることになる。
【００２７】
図７は、ビデオプロセッサ４４による画像処理を示すフロー図である。
【００２８】
ステップＤ１は、パソコン３から精密モノクロ医療画像データＡが転送されてくる毎に実行される。
ステップＤ１では、パソコン３から送られて来た精密モノクロ医療画像データＡをそのＩＤと対応付けてメモリ４５に記憶する。
【００２９】
ステップＤ２〜Ｄ８は、所定の周期で繰り返し実行される。
ステップＤ２では、パソコン３から医療画像のＩＤが通知されたかチェックし、通知されてないならステップＤ３へ進み、通知されたならステップＤ４へ進む。
【００３０】
ステップＤ３では、パソコン３から送られて来たカラー画像データＢにカラーモノクロ変換処理を施し、第２変換モノクロ画像データＣを作成し、表示用データとしてビデオメモリ４６に記憶する。これにより、図１に示すように、パソコン３が作成したカラー画像をモノクロ化した画像が表示される。そして、ステップＤ２に戻る。
前述したように、カラーモノクロ変換処理は、例えば特許文献２に開示されている処理を用いることが出来る。また、３つのサブピクセルのモノクロ画素値Ｄ１，Ｄ２，Ｄ３を、Ｄ１＝Ｄ２＝Ｄ３＝０．３＊Ｒ＋０．６＊Ｇ＋０．１＊Ｂとするカラーモノクロ変換処理など、他のカラーモノクロ変換処理を用いてもよい。
【００３１】
ステップＤ４では、通知されたＩＤに対応する精密モノクロ医療画像データＡをメモリ４５から読み出し、ｑ行Ｐ列の第１領域４８ａに嵌め込みうるように、精密モノクロ医療画像データＡにアスペクト比変換処理を施して第１変換モノクロ画像データＭを作成する。
アスペクト比変換処理は、例えば特許文献１に開示されている処理を用いることが出来る。
【００３２】
ステップＤ５では、パソコン３から送られて来たカラー画像データＢに対してカラーモノクロ変換処理を施し、第２変換モノクロ画像データＣを作成する。
【００３３】
ステップＤ６では、ステップＤ４で作成した第１変換モノクロ画像データＭを、ステップＤ５で作成した第２変換モノクロ画像データＣの第１領域４８ａ中の特定カラー画素値に対応する画素に嵌め込んで、合成モノクロ画像データＧを作成し、表示用データとしてビデオメモリ４６に記憶する。これにより、図８に示すように、モノクロ液晶パネル４８の第１領域４８ａに医療画像が表示され、第２領域４８ｂにカラー画像をモノクロ化した画像が表示される。そして、第１領域４８ａ中の除外領域４８ｃには、第２変換モノクロ画像データＣの画像が表示される。また、第１領域４８ａ中でも、マウスカーソルＺが表示される。
【００３４】
ステップＤ７では、パソコン３から医療画像の表示終了が通知されたかチェックし、通知されてないならステップＤ５に戻る。これにより、第２領域４８ｂのモノクロ画像が更新されながら、指定した医療画像が第１領域４８ａに表示され続ける。
一方、表示終了が通知されたなら、ステップＤ２に戻る。これにより、次の医療画像のＩＤが通知されるまで、パソコン３が作成したカラー画像がモノクロ化されて表示され続ける。
【００３５】
なお、医療画像ビューワプログラム３１を実行しているパソコン３とモノクロ画像表示装置４とにより、医療画像表示装置１が構成される。
【００３６】
実施例１のモノクロ画像表示装置４によれば、次の効果が得られる。
（１）モノクロ画像データＡとカラー画像データＢとが混在して１つの画面を構成するような場合にも両画像データに対応するモノクロ画像を適正に表示できる。すなわち、モノクロ画像データＡに対しては元の輝度とアスペクト比を適正に反映し且つカラー画像データＢに対しては元のカラーを適正に反映した画像を、１つの画面に表示することが出来る。
（２）モノクロ画像データＡを表示する第１領域４８ａ中の除外領域４８ｃにカラー画像データＢの図形・文字を表示できる。
（３）モノクロ画像データＡを表示する第１領域４８ａ中にマウスカーソルＺを表示できる。
（４）アスペクト比変換処理は並列処理することにより高速化しやすいので、パソコン３のＣＰＵよりも並列度の高いビデオプロセッサ４４で実行することにより、パソコン３のＣＰＵで行うよりも変換処理を高速化でき、操作者に対する応答速度を向上できる。
【００３７】
−実施例２−
操作者による第１領域４８ａのサイズ変更を可能にすれば、医療画像のズームイン／ズームアウト表示が可能になる。
また、操作者に指定されたモノクロ画像データＡの一部だけを第１領域４８ａに画像表示するようにしても、医療画像のズームイン／ズームアウト表示が可能になる。
【００３８】
−実施例３−
第１領域４８ａのサイズを予め決めておき、そのサイズに適合するようなアスペクト比変換処理を、パソコン３から医療画像のＩＤを通知される前に、記憶しているモノクロ画像データＡに対して予め行って記憶しておけば、パソコン３から医療画像のＩＤを通知された時に読み出すだけで済み、その度にアスペクト比変換処理を行うよりも応答を高速化することが出来る。
【産業上の利用可能性】
【００３９】
本発明のモノクロ画像表示装置は、医師がＸ線撮影画像，ＣＴ画像，ＭＲ画像などの医療画像を読影診断する際、その診断の効率化を図るのに利用できる。
【符号の説明】
【００４０】
１        医療画像表示装置
３        パソコン
４        モノクロ画像表示装置
３１      医療画像ビュワープログラム
３２      映像信号線
３３      通信信号線
４４      ビデオプロセッサ
４８      モノクロ液晶パネル
４８ａ    第１領域
４８ｂ    第２領域
４８ｃ    除外領域
Ｚ        マウスカーソル
【図１】
2013257417.tif 000003
【図２】
2013257417.tif 000004
【図３】
2013257417.tif 000005
【図４】
2013257417.tif 000006
【図５】
2013257417.tif 000007
【図６】
2013257417.tif 000008
【図７】
2013257417.tif 000009
【図８】
2013257417.tif 000010